(57)【要約】【課題】軽い腱鞘炎を起こした者が市販の一般的なゴルフクラブのスイングに支障を来さないようにグリップ握ることを可能にするゴルフグローブを提供する。【解決手段】ゴルフグローブ１において、ゴルフクラブのグリップを握った状態でグリップと接触する部分であって、少なくともスイング時に重要な部分となる第３指１ｃ・第４指１ｄ・第５指１ｅ及び掌に、握った状態で折れ曲がる部分で分断された各パッド２ａ〜ｋを設ける。パッドは、厚さ２ｍｍ程度のフェルト状の素材からなる。グリップを握った時にグリップと接触する部分に周方向に連続する略均一の厚さとなる衝撃吸収性パッドが取り付けられ、グリップが太くなったのと同じ効果となり、小さく握らなくてもグリップを握ることができるようになるため、軽い腱鞘炎を起こしているような人でも、スイングに支障がない程度にグリップを握ることができ、ゴルフを楽しむことができる。【選択図】図１
2007044177.tif 000002
【特許請求の範囲】
【請求項１】
ゴルフグローブにおいて、ゴルフクラブのグリップを握った時に当該グリップと接触する部分に、対象となるグリップを握った状態で少なくとも第３指・第４指・第５指の３本と掌とにおけるグリップの周方向に連続する部分に渡って略均一の厚さとなるように、握った状態の手の内側で折れ曲がる部分で分断された複数の衝撃吸収性を有するパッドが一体的に配設されていることを特徴とするゴルフグローブ。
【請求項２】
ゴルフグローブにおいて、ゴルフクラブのグリップを握った時に当該グリップと接触する部分に、対象となるグリップを握った状態で少なくとも第３指・第４指・第５指の３本と掌とにおけるグリップの周方向に連続する部分に渡って略均一の厚さとなるように、握った状態の手の内側で折れ曲がる部分で分断された複数の衝撃吸収性を有するパッドが、予めゴルフグローブの大きさに応じて前記配設される対象部分の範囲に合わせた大きさに形成され、かつ前記ゴルフグローブにユーザが取り付けることができるようになっていることを特徴とするゴルフグローブ用パッド。
【発明の詳細な説明】
【技術分野】
【０００１】
本発明は、ゴルフグローブ及びゴルフグローブ用パッドに関するものである。
【背景技術】
【０００２】
従来、ゴルフクラブを振るときに滑り止めとするための摩擦部材などを設けたゴルフグローブがある。また、グリップ力を増強しようという発想から第５指に沿って柔軟材によって形成された指状の支持部をグローブ本体に設けたものがある（例えば特許文献１参照）。
【特許文献１】特開２００３−３３０９３０号公報
【発明の開示】
【発明が解決しようとする課題】
【０００３】
一方、何らかの原因により軽い腱鞘炎を起こす場合があり、そのような腱鞘炎等によって指の関節や掌に握力を出す上で影響がある場合には、ゴルフクラブのスイングに必要な程度の強さでグリップを握ることが困難であるという問題がある。特に、市販の一般的なゴルフクラブの細いグリップに対してはある程度以上の強い握力で握らないと、適正なショットができない。
【０００４】
そこで、グリップの太さを変えることが考えられる。細くなるほど痛みが増して握ることができなくなるのに対して、ある程度太くすると、握った際の痛みも和らぎ、一応スイングに支障のない程度に握ることが可能であることが判明した。しかしながら、本数の多いゴルフクラブのグリップを全て太くすることは、腱鞘炎が治った時に元に戻すことを考えると、その手間ばかりでなく費用も大変である。なお、市販のグリップでは、腱鞘炎を起こした手でもスイングに支障のない握りを可能にする程度に太いものは見当たらない。
【課題を解決するための手段】
【０００５】
このような課題を解決して、軽い腱鞘炎を起こした者が市販の一般的なゴルフクラブのスイングに支障を来さないようにグリップ握ることを可能にすることを実現するために本発明に於いては、ゴルフグローブにおいて、ゴルフクラブのグリップを握った時に当該グリップと接触する部分に、対象となるグリップを握った状態で少なくとも第３指・第４指・第５指の３本と掌とにおけるグリップの周方向に連続する部分に渡って略均一の厚さとなるように、手の関節部分で分断された複数の衝撃吸収性を有するパッドが一体的に配設されているものとした。あるいは、ゴルフグローブにおけるゴルフクラブのグリップを握った時に当該グリップと接触する部分に、対象となるグリップを握った状態で少なくとも第３指・第４指・第５指の３本と掌とにおけるグリップの周方向に連続する部分に渡って略均一の厚さとなるように、手の関節部分で分断された複数の衝撃吸収性を有するパッドが、予めゴルフグローブの大きさに応じて前記配設される対象部分の範囲に合わせた大きさに形成され、かつ前記ゴルフグローブにユーザが取り付けることができるようになっているものとした。
【発明の効果】
【０００６】
このように本発明によれば、ゴルフグローブに、グリップを握った時にグリップと接触する部分に周方向に連続する略均一の厚さとなる衝撃吸収性パッドを取り付けたことから、グリップが太くなったのと同じ効果となり、小さく握らなくても一般的なゴルフクラブのグリップを握ることができるようになるため、軽い腱鞘炎を起こしているような人でも、スイングに支障がない程度にグリップを握ることができ、ゴルフを楽しむことができる。指に設けるパッドにあっては、ゴルフクラブのスイングで握るのに重要となる少なくとも第３指・第４指・第５指にあれば良い。また、関節部分で分断して複数のものとして配設することにより、握る時に何ら支障となることがない。また、パッドの厚さにあっては、同じサイズのゴルフグローブに対して厚さ違いのものを複数種用意することにより、自分の握力に適応したものを選択することができる。このようにゴルフグローブで太いグリップを握った感触を得られるようにしたことから、ゴルフクラブ側で太いグリップを設ける必要が無く、特別なゴルフクラブを購入する必要がないため、支出が増大することがない。
【０００７】
上記パッドを予めゴルフグローブに例えば縫いつけておくこともできるが、ゴルフグローブに自分の好きなものを使用したいという要望が考えられる。その場合にはゴルフグローブの大きさ（例えばＬ・Ｍ・Ｓ）毎に合わせた大きさに形成したパッドを用意しておくことにより、ユーザが自由に取り付けることができる。取り付け方法にあっては、簡単なものとしては接着剤付きのパッドとしておくことで良い。また、縫いつけることであっても良く、エンドユーザが自身で縫いつけることができない場合には、店で縫いつけるサービスを行うようにしても良い。このように別途パッドのみを選択可能にしておくことにより、パッドを任意に複数枚重ねて取り付けることにより、厚さを自由に調整できるため、ユーザの握力の違いに柔軟に対応できる。
【発明を実施するための最良の形態】
【０００８】
以下、本発明の実施の形態を、図面を参照しながら説明する。図１は、本発明に基づくゴルフグローブの内側部分を示す全体図である。図に示されるように、ゴルフグローブ１のゴルフクラブのグリップを握ることになる部分には複数のパッドが一体的に取り付けられている。
【０００９】
図示例にあっては、ゴルフグローブ１における第３指（中指）１ｃに、その関節で曲がる部分で分断された状態の３枚のパッド２ａ・２ｂ・２ｃが設けられ、第４指（薬指）１ｄにも同様にその関節で曲がる部分で分断された状態の３枚のパッド２ｄ・２ｅ・２ｆが設けられ、第５指（小指）１ｅには、その先端部を除いて、上記と同様にその関節で曲がる部分で分断された状態の２枚のパッド２ｇ・２ｈが設けられている。
【００１０】
また、ゴルフグローブ１における掌には、図示例では第３指１ｃ及び第４指１ｄの付け根側部分と、第１指（親指）１ａの掌部分と、それらの間となる部分とに、それぞれ適切な大きさの各パッド２ｉ・２ｊ・２ｋが設けられている。
【００１１】
各パッド２ａ〜２ｋは、例えば、厚さ２ｍｍ程度のフェルト状の素材からなり、ゴルフグローブ１の適所に例えば縫いつけて取り付けられていて良い。なお、ゴルフグローブ１に対する一体的な取り付けとしては縫いつけに限られるものではなく、ゴルフグローブ１に一体化できるものであれば良く、例えば接着剤による接着であっても良い。また、材質もフェルト状のものが良いが、それに限られるものではなく、一般の人がゴルフクラブのグリップを握った状態でグリップの外形に追従し得るように弾性変形し、かつスイングする時に必要な程度の握力では厚さがほとんど変化せず、打球時の反力による衝撃力をできるだけ吸収し得るクッション性のある素材であれば良い。
【００１２】
また、各パッド２ａ〜２ｋの隣り合うもの同士の間隔にあっては、図２及び図３にその一部を示すように、グリップ３を握った状態でほぼ接触しそうであるが互いに厚さ方向には重ならないように設定されている。これにより、グリップ３を握った状態で、図３に示される場合には各パッド２ｊ・２ｉ・２ｄ・２ｅ・２ｆによりグリップ３の周方向に略連続する周壁が形成されるようになり、それによりグリップ３の対応する部分の外径（Ｄ１）よりも大径（Ｄ２）のグリップ部分が形成される。ゴルフグローブ１に入れた手では太い（Ｄ２）グリップを握ったのと同様となり、軽い腱鞘炎を起こしている場合に市販の一般的な細いグリップ３を握ることによる痛みが生じることがない。
【００１３】
また、太いグリップを握ることと同様であることにより、弱い握力であっても、スイングに必要な把持力が得られ、適正なスイングを行うことができる。これは、単に握力が弱いという人に対しても有効ということになるため、腱鞘炎に限られず、何らかの原因により握力が弱い人、また握力の弱い女性や高齢者にとってもゴルフクラブをスイングすることが可能となり、それによりゴルフという楽しみながら身体を動かす機会が増えるため、健康促進にもなり得る。
【００１４】
上記図示例ではゴルフグローブ１に予め各パッド２ａ〜２ｋを取り付けているものについて示したが、本発明によれば、ユーザのゴルフグローブを選択する自由を確保するために、図４に示されるようなシート４を用いることができる。例えば、上記と同様の素材（フェルト）からなるシート４に図に示されるようにグローブの外形を描き、シート４の裏面に接着剤を塗布しかつ接着剤に対して剥離可能な裏紙を当て、そのシート４に上記同様の形状の各パッド２ａ〜２ｋ、及びユーザの選択に合わせて任意に取り付け可能にするために第１指（親指）及び第２指（人差し指）及び第５指の先端部に対応する各パッド２ｌ・２ｍ・２ｎ・２ｏ・２ｐ・２ｑを併せて形成しておく。なお、各パッド２ａ〜２ｑを容易に抜き出すことができるように、各パッド２ａ〜２ｑの外形に切り込みを入れておく。これにより、ゴルフクラブを握った感触に合わせてパッド２ａ〜２ｑにおける必要な箇所に対応するものを任意に選択して、ゴルフグローブに貼り付けることができる。なお、ずれる虞がある場合には縫いつけるようにすれば良い
【００１５】
また、ゴルフグローブの一般的なサイズ違いに合わせて各サイズ（Ｌ・Ｍ・Ｓ）別のものを用意すると良い。さらに、厚さ違いにも対応するべく数種類の厚さ違いのシートで形成すると良い。なお、同一厚さのものであっても、重ねて取り付けることによりその厚さピッチで厚さを変えることができ、各個人の手の状態に合わせて柔軟に対応し得る。
【図面の簡単な説明】
【００１６】
【図１】本発明に基づくゴルフグローブを示す全体図である。
【図２】ゴルフクラブのグリップを握った状態における各パッドの断面を示す図である。
【図３】図２の矢印III−III線に沿って見た各パッドの断面を示す図である。
【図４】各パッドを形成したシートを示す図である。
【符号の説明】
【００１７】
１  ゴルフグローブ
２ａ〜２ｋ  パッド
２ｌ〜２ｑ  パッド
３  グリップ
４  シート
【図１】
2007044177.tif 000003
【図２】
2007044177.tif 000004
【図３】
2007044177.tif 000005
【図４】
2007044177.tif 000006